(57)【特許請求の範囲】
【請求項１】
携帯電話会社のサーバが、利用者から携帯電話によりかけられた電話を受けて本人であるかどうかを確認するステップと、
前記携帯電話会社のサーバが、本人であることを確認したとき、前記利用者に改札の許可を与えるステップと、
このステップにより改札許可が与えられたとき、自動改札機が前記携帯電話を認識するステップと、
このステップにより前記携帯電話を認識した前記自動改札機が、改札駅コードを発信するステップと、
前記携帯電話会社のサーバが、このステップにより発信した改札駅コードを受信するステップと、
前記携帯電話会社のサーバが、このステップにより受信した改札駅コードにより前記利用者の乗降車駅を記憶する乗降車駅記憶ステップと、
前記携帯電話会社のサーバが、このステップにより受信した改札駅コードを確認しこの改札駅コードを発信した前記自動改札機に改札ドア開放を指示するステップと、を含むことを特徴とする携帯電話による自動改札方法。
【請求項２】
携帯電話会社のサーバが、利用者から無線タグを有する携帯電話によりかけられた電話を受けて本人であるかどうかの確認を行う確認ステップと、
前記携帯電話会社のサーバが、本人であることを確認したとき、前記利用者に改札の許可を与える改札許可ステップと、
このステップにより改札許可が与えられたとき、自動改札機が前記無線タグにより前記携帯電話を認識する認識ステップと、
このステップにより前記携帯電話を認識した前記自動改札機が、改札駅コードを発信する改札駅コード発信ステップと、
前記携帯電話会社のサーバが、このステップにより発信した改札駅コードを受信する改札駅コード受信ステップと、
前記携帯電話会社のサーバが、このステップにより受信した改札駅コードにより前記利用者の乗降車駅を記憶する乗降車駅記憶ステップと、
前記携帯電話会社のサーバが、この改札駅コード受信ステップにより受信した改札駅コードを確認し、前記携帯電話を認識した前記自動改札機に改札ドア開放を指示するステップと、を含むことを特徴とする携帯電話による自動改札方法。
【請求項３】
携帯電話会社のサーバが、利用者からバーコードを有する携帯電話によりかけられた電話を受けて本人であるかどうかの確認を行う確認ステップと、
前記携帯電話会社のサーバが、本人であることを確認したとき、前記利用者に改札の許可を与える改札許可ステップと、
このステップにより改札許可が与えられたとき、自動改札機が前記バーコードにより前記携帯電話を認識する認識ステップと、
このステップにより前記携帯電話を認識した前記自動改札機が、改札駅コードを発信する改札駅コード発信ステップと、
前記携帯電話会社のサーバが、このステップにより発信した改札駅コードを受信する改札駅コード受信ステップと、
前記携帯電話会社のサーバが、このステップにより受信した改札駅コードにより前記利用者の乗降車駅を記憶する乗降車駅記憶ステップと、
前記携帯電話会社のサーバが、このステップにより受信した改札駅コードを確認し前記携帯電話を認識した前記自動改札機に改札ドア開放を指示するステップと、を含むことを特徴とする携帯電話による自動改札方法。
【請求項４】
携帯電話会社のサーバが、利用者から携帯電話によりかけられた電話を受けて本人であるかどうかの確認を行う確認ステップと、
前記携帯電話会社のサーバが、本人であることを確認したとき、前記利用者に改札の許可を与える改札許可ステップと、
このステップにより改札許可が与えられたとき、自動改札機が前記携帯電話会社電話に対応する磁気カードを認識する認識ステップと、
このステップにより磁気カードを認識した前記自動改札機が、改札駅コードを発信する改札駅コード発信ステップと、
前記携帯電話会社のサーバが、このステップにより発信した改札駅コードを受信する改札駅コード受信ステップと、
前記携帯電話会社のサーバが、このステップにより受信した改札駅コードにより前記利用者の乗降車駅を記憶する乗降車駅記憶ステップと、
前記携帯電話会社のサーバが、このステップにより受信した改札駅コードを確認し、前記磁気カードを認識した前記自動改札機に改札ドア開放を指示するステップと、を含むことを特徴とする携帯電話による自動改札方法。
【請求項５】
携帯電話会社のサーバが、利用者から携帯電話によりかけられた電話を受けて本人であるかどうかを確認する手段と、
前記携帯電話会社のサーバが、暗証番号の一致を確認したとき、前記利用者に改札の許可を与える手段と、
自動改札機が、この手段により改札許可が与えられたとき、前記携帯電話を認識する手段と、
この手段により前記携帯電話を認識した前記自動改札機が、改札駅コードを発信する手段と、
前記携帯電話会社のサーバが、この手段により発信した改札駅コードを受信する手段と、
前記携帯電話会社のサーバが、この手段により受信した改札駅コードにより前記利用者の乗降車駅を記憶する乗降車駅記憶手段と、
前記携帯電話会社のサーバが、この手段により受信した改札駅コードを確認し、この改札駅コードを発信した前記自動改札機に改札ドア開放を指示する手段と、を含むことを特徴とする携帯電話による自動改札システム。
【請求項６】
携帯電話を有する利用者が自動改札機を通って乗車駅から乗り降車駅で降りる自動改札システムであって、
乗車駅では、
携帯電話会社のサーバが、利用者から携帯電話によりかけられた電話を受けて本人であるかどうかの確認を行う手段と、
前記携帯電話会社のサーバが、本人であることを確認したとき、前記利用者に改札許可を与える手段と、
自動改札機が、この手段により改札許可が与えられたとき、前記携帯電話を認識する手段と、
この手段により前記携帯電話を認識した前記自動改札機が、乗車駅コードを発信する手段と、
前記携帯電話会社のサーバが、この手段により受信した乗車駅コードにより前記利用者の乗車駅を記憶する乗車駅記憶手段と、
前記携帯電話会社のサーバが、前記乗車駅コード受信手段により受信した乗車駅コードを確認しこの乗車駅コードを発信した前記自動改札機に改札ドア開放を指示する手段と、
降車駅では、
前記携帯電話会社のサーバが、利用者から携帯電話によりかけられた電話を受けて本人であるかどうかの確認を行う手段と、
前記携帯電話会社のサーバが、本人であることを確認したとき、前記利用者に改札許可を与える手段と、
前記自動改札機が、この手段により改札許可が与えられたとき、前記携帯電話を認識する手段と、
この手段により前記携帯電話を認識した前記自動改札機が、降車駅コードを発信する手段と、
前記携帯電話会社のサーバが、この手段により受信した降車駅コードにより前記利用者の降車駅を記憶する降車駅記憶手段と、
前記携帯電話会社のサーバが、前記降車駅コード受信手段により受信した降車駅コードを確認しこの降車駅コードを発信した前記自動改札機に改札ドア開放を指示する手段と、
前記携帯電話会社のサーバが、前記乗車駅記憶手段により記憶された乗車駅から前記降車駅記憶手段により記憶された降車駅までの料金を計算する手段と、を含むことを特徴とする携帯電話による自動改札システム。
【請求項７】
携帯電話会社のサーバが、利用者から携帯電話によりかけられた電話を受けて本人であるかどうかを確認するステップと、
前記携帯電話会社のサーバが、本人であることを確認したとき、前記利用者に自動開閉機入出の許可を与えるステップと、
このステップにより入出の許可が与えられたとき、自動開閉機が前記携帯電話を認識するステップと、
このステップにより前記携帯電話を認識した前記自動開閉機が、開閉コードを発信するステップと、
前記携帯電話会社のサーバが、このステップにより発信した開閉コードを受信するステップと、
前記携帯電話会社のサーバが、このステップにより受信した開閉コードにより前記利用者の入出した自動開閉機を記憶する入出自動開閉機記憶ステップと、
前記携帯電話会社のサーバが、このステップにより受信した開閉コードを確認し、前記携帯電話の所定口座から所定の料金を差し引くと共に、前記開閉コードを発信した前記自動開閉機に前記自動開閉機の開放を指示するステップと、を含むことを特徴とする携帯電話による自動開閉方法。
【発明の詳細な説明】
【０００１】
【発明の属する技術分野】
本発明は、携帯電話を用いる電車などの自動改札方法及びそのシステムに関する。
【０００２】
【従来の技術】
従来、電車に乗るとき、予め切符などを買い求めそれを改札に通すことにより乗車賃を支払っている。しかし、切符を買うには目的地の最寄駅までの路線を調べ、その駅まで運賃を知りその金額の切符を買う必要があり、非常に煩瑣である。しかも鉄道会社の異なる路線を乗り継がなければならない場合など、目的駅まで１枚の切符で行けない場合もしばしばあり、そのような場合には、２回切符を購入しなければならず、特によく知らない駅まで行く場合には、電車に慣れた人にとっても非常に面倒であった。
【０００３】
【発明が解決しようとする課題】
上述のように、従来、電車などに乗るとき、目的駅までの切符を予め買う必要があり、その手続が非常に面倒であった。
【０００４】
本発明はそのような従来の問題点に鑑みてなされたもので、携帯電話を用いて簡単に目的駅まで行ける、自動改札システムを提供することを目的とする。
【０００５】
【課題を解決するための手段】
上記目的を達成するために、本発明は携帯電話会社のサーバが、利用者から携帯電話によりかけられた電話を受けて本人であるかどうかを確認するステップと、携帯電話会社のサーバが、本人であることを確認したとき、利用者に改札の許可を与えるステップと、  このステップにより改札許可が与えられたとき、自動改札機が前記携帯電話を認識するステップと、このステップにより携帯電話を認識した自動改札機が、改札駅コードを発信するステップと、携帯電話会社のサーバが、このステップにより発信した改札駅コードを受信するステップと、携帯電話会社のサーバが、このステップにより受信した改札駅コードにより利用者の乗降車駅を記憶する乗降車駅記憶ステップと、携帯電話会社のサーバが、このステップにより受信した改札駅コードを確認しこの改札駅コードを発信した自動改札機に改札ドア開放を指示するステップと、を含むことを特徴とする携帯電話による自動改札方法を提供する。
【０００６】
また、本発明は携帯電話会社のサーバが、利用者から無線タグを有する携帯電話によりかけられた電話を受けて本人であるかどうかの確認を行う確認ステップと、携帯電話会社のサーバが、本人であることを確認したとき、利用者に改札の許可を与える改札許可ステップと、このステップにより改札許可が与えられたとき、自動改札機が無線タグにより携帯電話を認識する認識ステップと、このステップにより携帯電話を認識した自動改札機が、改札駅コードを発信する改札駅コード発信ステップと、携帯電話会社のサーバが、このステップにより発信した改札駅コードを受信する改札駅コード受信ステップと、携帯電話会社のサーバが、このステップにより受信した改札駅コードにより利用者の乗降車駅を記憶する乗降車駅記憶ステップと、携帯電話会社のサーバが、この改札駅コード受信ステップにより受信した改札駅コードを確認し、携帯電話を認識した自動改札機に改札ドア開放を指示するステップと、を含むことを特徴とする携帯電話による自動改札方法を提供する。
【０００７】
また、本発明は携帯電話会社のサーバが、利用者からバーコードを有する携帯電話によりかけられた電話を受けて本人であるかどうかの確認を行う確認ステップと、携帯電話会社のサーバが、本人であることを確認したとき、利用者に改札の許可を与える改札許可ステップと、このステップにより改札許可が与えられたとき、自動改札機がバーコードにより携帯電話を認識する認識ステップと、このステップにより携帯電話を認識した自動改札機が、改札駅コードを発信する改札駅コード発信ステップと、携帯電話会社のサーバが、このステップにより発信した改札駅コードを受信する改札駅コード受信ステップと、携帯電話会社のサーバが、このステップにより受信した改札駅コードにより利用者の乗降車駅を記憶する乗降車駅記憶ステップと、携帯電話会社のサーバが、このステップにより受信した改札駅コードを確認し携帯電話を認識した自動改札機に改札ドア開放を指示するステップと、を含むことを特徴とする携帯電話による自動改札方法を提供する。
【０００８】
本発明において、改札駅には乗車駅と降車駅が含まれる。
【０００９】
【発明の実施の形態】
以下、本発明の各実施形態について図面を用いて説明する。
【００１０】
まず、無線タグを用いる場合の本発明の第１の実施形態について説明する。この場合の処理の流れを図１に示す。
【００１１】
電車を利用しようとする者は携帯電話を有する。この利用者は、携帯電話の運営会社及び乗車する電車の鉄道会社と予め自動改札システム利用の契約を済ませておく。
【００１２】
これは例えば次のような契約である。携帯電話会社は、利用者が自動改札するときに使用する改札専用の電話番号を設定し、利用者はそのとき用いる暗証番号を携帯電話会社に伝える。利用者は、自分の口座から、改札専用の電話をかけたときの電話料金と電車に乗った料金をその口座から、毎月指定日に引き去ることを認める。
【００１３】
電車に乗った分の料金は乗車した電車の路線を運営する鉄道会社に支払う。このとき、携帯電話会社は、上記鉄道会社あるいは利用者から所定の手数料を徴収する。
【００１４】
電車利用料金支払のために別口座を設けておき、その口座から所定金額ずつ事前に支払われるようにしておいてもよい。
【００１５】
利用者の指定口座に支払に十分な金額がない場合には、携帯電話会社は、その分の利息を取り、指定口座にある金額がクレジット限度額を越えた場合には、携帯電話会社はその携帯電話を使用禁止にする。
利用者が有する携帯電話には無線タグが付いている。無線タグによるシステムは移動体を認識することが可能な非接触型データキャリアシステムである。電源を必要としないコイン又はカード型の無線タグを最短で約２０ｃｍの無線タグ用のアンテナに近づけることによって、電波により情報の読出しが可能である。ここでは無線タグ用のアンテナを無線タグという。
利用者は、この携帯電話を用いて、まずステップＳ１０で、携帯電話会社の上記改札専用の番号に電話し、自分の暗証番号を入力する。
【００１６】
電話を受けた携帯電話会社のサーバは、ステップＳ１１で、先に登録してある該当利用者の暗証番号と一致するかどうか確認する。両方の暗証番号が一致すればステップＳ１２で、携帯電話会社のサーバはその利用者に自動改札機の使用を許可する。この許可を利用者はステップＳ１３で、携帯電話の表示部にＯＫを表示されることによって知る。
【００１７】
自動改札許可を知った利用者は、自分の携帯電話を自動改札機に近づける。携帯電話には、無線タグが付いているので、この信号を自動改札機は受信する。無線タグからの信号を受信した自動改札機は、ステップＳ１５において、乗車駅コードを発信する。利用者の携帯電話はステップＳ１６で乗車駅コードを受信し、この乗車駅コードはステップＳ１７で携帯電話会社のサーバに電話回線を通じて発信される。
【００１８】
携帯電話会社のサーバは、上記乗車駅コードを受信し（ステップＳ１８）、利用者が該当駅から乗車することを記憶し、携帯電話会社のサーバは利用者のいる駅の改札ドアの開放を指示する（ステップＳ１９）。その結果、ステップＳ２０で改札ドアは開放され、利用者は駅構内に入って電車に乗ることができる。
【００１９】
利用者が降りるときにも同様な手続を踏む。即ち、利用者は降車駅の改札口に近づいたら、携帯電話会社のサーバの改札専用番号に電話し、自分の暗証番号を入力する。携帯電話会社のサーバは入力された暗証番号を確認し、登録されている暗証番号と一致したら、自動改札許可を上記携帯電話に送る。
【００２０】
携帯電話を有する利用者はその許可を知り、携帯電話を自動改札機に近づけると、自動改札機では降車駅コードを発信し、それを携帯電話が受信する。この降車駅コードは携帯電話会社のサーバに発信され、携帯電話会社のサーバは該当利用者がどの駅で乗車しどの駅で降車するか検知し利用料金を算出し、利用者の口座にその額があることを確認して記憶する。
【００２１】
携帯電話会社のサーバは、利用者の口座に上記料金の額があることが確認したら、利用者のいる駅の自動改札機の改札ドアの開放を指示し、その自動改札機の改札ドアが開放されて、利用者は降車駅から出ることができる。
【００２２】
後日電車を利用するときも、同様に乗車駅の改札で携帯電話会社に電話し、また降車駅の改札で携帯電話会社に電話することによって、簡単に電車の乗降ができる。
【００２３】
上記のようにして携帯電話会社のサーバに記憶された利用者の電車利用料金は積算され、電話料金と共に予め定められている利用者の口座から所定日に差し引かれる。
【００２４】
本発明のこの実施形態では、無線タグにより昇降駅を検知しているので、改札機に携帯電話を近づけだけで改札機を通ることができる。
【００２５】
この実施形態によれば、自動改札機で無線タグを有する携帯電話をかざすだけでよいので、従来の乗車券を搬送する処理が必要なく、改札機を小さく、幅も小さくすることができる。
【００２６】
尚、上記実施形態において、自動改札機が発信した乗車駅コードを携帯電話が受信しそのコードを携帯電話会社に発信しているが、自動改札機が直接、専用回線など用いて携帯電話会社に送るようにしてもよい。
【００２７】
次に、バーコードを用いる場合の本発明の第２の実施形態について説明する。この場合の処理の流れを図２に示す。
【００２８】
利用者は裏側にバーコードが設けられている携帯電話を有している。利用者は、この携帯電話を用いて、まずステップＳ２１で、携帯電話会社のサーバの上記改札専用の番号に電話し、自分の暗証番号を入力する。
【００２９】
電話を受けた携帯電話会社のサーバは、ステップＳ２２で、先に登録してある該当利用者の暗証番号と一致するかどうか確認する。両方の暗証番号が一致すればステップＳ２３で、携帯電話会社のサーバはその利用者に自動改札機の使用を許可する。この許可を知った利用者は、ステップＳ２４で、携帯電話の裏側に設けられているバーコードを自動改札機に設置されているバーコードリーダにかざす。
【００３０】
ステップＳ２５で、自動改札機は該当利用者の乗車駅コードを専用回線で携帯電話会社のサーバに送る。携帯電話会社のサーバはステップＳ２６で、自動改札機からの乗車駅コードを受信し、ステップＳ２７で、該当利用者の登録、口座の存在などを確認する。
【００３１】
上記確認がすんだら、携帯電話会社のサーバはステップＳ２８で利用者がいる乗車駅の自動改札機の改札ドアを開放する。
【００３２】
乗車手続が完了後、利用者の携帯電話に駅名、時刻などが送られる。
【００３３】
このようにして乗車した利用者は、同様の手続により降車もできる。即ち、利用者は降車駅の改札口の前で、携帯電話会社のサーバの改札専用番号に電話し、携帯電話会社のサーバから自動改札の許可を受けたら、携帯電話のバーコードを自動改札機のバーコードリーダにかざす。すると、自動改札機は降車駅コードを発信し、携帯電話会社のサーバに専用回線で送る。このようにして利用者の乗車駅及び降車駅を携帯電話会社のサーバが受信するため、その乗車駅及び降車駅間の料金が算出され、利用者の口座に所定金額があれば、携帯電話会社のサーバから自動改札機に使用許可の通知がなされ、改札ドアが開放されて、利用者は降車駅を出ることができる。
【００３４】
利用者の電車の利用料金は、電話料金と共に、利用者の口座から差し引かれる。
【００３５】
本発明のこの実施形態によれば、自動改札機を通るときカードを用いないので、自動改札機を小型化できる。
【００３６】
また上述の実施形態によれば、自動改札機が発信した乗車駅コードを携帯電話に送ることなく、携帯電話会社のサーバに発信しているので、図１に示した第１の実施形態に比して改札ドアが開くまでの時間を短くすることができる。
【００３７】
次に、磁気カードを用いる場合の本発明の第３の実施形態について説明する。この場合の処理の流れを図３に示す。この場合には、携帯電話の他に磁気カードも用いる。
【００３８】
まず、電車を利用しようとする者は、ステップＳ３１で、携帯電話から携帯電話会社のサーバに電話し、ステップＳ３２で、利用者は磁気カードのカード番号と暗証番号を入力する。
【００３９】
次に、利用者から電話を受けた携帯電話会社のサーバは、ステップＳ３３で、先に登録してある該当利用者の暗証番号と一致するかどうか確認する。携帯電話会社のサーバは両方の暗証番号が一致すればステップＳ３４で、利用者の口座に限度額以上の額があるかどうか確認する。限度額以上あれば、携帯電話会社のサーバはその利用者に自動改札機の使用を許可する。この許可を利用者はステップＳ３５で、携帯電話の表示部にＯＫを表示されることによって知る。
【００４０】
その後、利用者はステップＳ３６で磁気カードを自動改札機に挿入すると、自動改札機は、ステップＳ３７で挿入された磁気カードの内容を読み取る。
【００４１】
この後、その自動改札機は乗車駅コードを発信し（ステップＳ３８）、専用回線を通して携帯電話会社のサーバに送られる。携帯電話会社のサーバは、乗車駅コードを受信し（ステップＳ３９）、先に入力された磁気カードの番号を確認する（ステップＳ４０）。そのカード番号がＯＫならば、携帯電話会社のサーバはその旨自動改札機に発信し、自動改札機は改札ドアを開放する（ステップＳ４１）。
【００４２】
この実施形態では、磁気カードを用いるが、何度でも使用することができ、廃棄されることがない。
【００４３】
この場合にも、携帯電話会社のサーバは乗車駅コードを受信したとき、そのデータを記憶する。
【００４５】
利用者が降車するときには、やはり携帯電話で携帯電話会社のサーバに電話し、磁気カードの番号と暗証番号を入力する。携帯電話会社のサーバは暗証番号の一致を確かめたら、携帯電話にＯＫを送り、利用者は磁気カードを自動改札機に通す。
【００４６】
自動改札機は降車駅コードを携帯電話会社のサーバに送り、料金計算がなされる。携帯電話会社のサーバは、料金が利用者の口座にあること、更に磁気カードの番号を確認すると、自動改札機に指示し、自動改札機の改札ドアを開ける。
【００４７】
なお、利用者が最初、改札機を通るときは乗車であり、２度目は降車であることは明らかであるから、降車駅コードは乗車駅コードと同じコードを用いてもよい。複数回、電車への乗り降りがあることを考慮して、駅コードに乗車，降車の情報を付するようにすることもできる。
【００４８】
ところで、上記実施形態では携帯電話会社のサーバが電車の乗車料金もまとめて徴集していたが、別にクレジット会社のサーバを介在させることもできる。例えば、利用者にその鉄道会社のクレジット会社に入会してもらい、携帯電話会社は電話料金と乗車料金をそのクレジット会社から支払を受ける。
【００４９】
クレジット会社は電話料金と乗車料金を利用者の口座から引き落とす、クレジット会社は利用者の口座に十分な金額がない場合にはその分の利息を取り、クレジット限度額を超えた場合には、携帯電話会社にその携帯電話会社の電話の使用禁止を連絡する。
【００５０】
また、鉄道会社が携帯電話会社に料金の計算・徴集をまかせたくない場合には例えば次のようにする。
【００５１】
携帯電話会社のサーバは改札機を通過した携帯電話の利用者に関する情報だけを鉄道会社のサーバに与える。鉄道会社のサーバは利用者の乗車駅と降車駅の情報を得て料金計算をし、そのデータをクレジット会社のサーバへ送り、クレジット会社のサーバが利用者の口座からその代金を毎月まとめて引き落とし、その明細書を利用者へ送る。
【００５２】
クレジット会社は利用者の口座に十分な金額がない場合その分の利息を取り、クレジット限度額を超えた場合には、その携帯電話会社に携帯電話の使用禁止を連絡する。
【００５３】
なお、本発明によれば以下のような応用も可能である。予め、設定しておくことにより、携帯電話会社から、乗車駅名、降車駅名、降車時間、運賃などを指定したデータ形式により、携帯電話に送ってもらうようにできる。
【００５４】
また、クレジットなので、利用頻度に応じての値引きが可能になる。同様に比較的利用度が低い時間帯に利用した場合には安い料金を請求することができる。この場合既存の時差回数券のように前もって購入しておく必要がなく、割引を適用できる。
【００５５】
更に、予め定期券の区間の利用を登録し、その区間は割り引きされた料金が適用され、定期区間以外のみ乗車運賃が請求されるようにすることができる。
【００５６】
また、乗車駅あるいは降車駅コードを一旦、携帯電話に発信するようにすると、次のようなことが可能となる。
【００５７】
例えば、改札を入ったときに、各番線の電車の発車時刻を携帯電話に表示する。あるいは予め自宅の最寄駅又は会社の最寄駅を登録しておくことによって、乗換時間、到着時間運賃を含む路線情報が携帯電話に表示されるようにすることができる。また、改札を出るときにその駅に所在する鉄道会社と同系列の店舗がある場合、改札機から降車駅の情報と共に店舗の案内が届き、その店舗で買物をしたら、降車時にかけた電話の料金が無料となるサービスなどを提供することもできるようになる。
【００５８】
上記実施形態では、携帯電話により暗証番号を携帯電話会社のサーバに送る場合について説明した。しかし、本人であることの確認の方法はこれに限られず、携帯電話によってかけられた電話を受けて，本人を確認できればどのような方法によっても本発明を適用できる。
【００５９】
また上記実施形態では、自動改札機を通る場合について説明したが、本発明はこれに限られず、例えば劇場へ入る場合などにも本発明を適用できる。この場合には入場のためのゲートの自動開閉機があり、携帯電話を持った利用者が携帯電話会社に電話し本人確認できれば、所定の口座から例えば料金を自動引き去りすることができ、これと共に自動開閉機を開放することもできる。勿論、口座のみ確認し料金の引き去りは後で行うようにすることもできる。
【００６０】
【発明の効果】
本発明によれば、携帯電話を用いて簡単に目的駅まで行ける自動改札方法及びそのシステムが得られる。
【図面の簡単な説明】
【図１】  本発明の一実施形態の処理の流れを示す図。
【図２】  本発明の他の実施形態の処理の流れを示す図。
【図３】  本発明の更に他の実施形態の処理の流れを示す図。
【図１】
0004049979.tif 000002
【図２】
0004049979.tif 000003
【図３】
0004049979.tif 000004